(57)【要約】【課題】顧客が操作する表示入力装置４に付着した汚れを、新たな高価な構成を付加することなく確実に検出できるようにする。【解決手段】前記表示入力装置４を、フォトセンサを内蔵する液晶パネルにて成し、走査方向に対する受光量の微分量を求め、当該微分量の絶対値が第１の閾値α以上になったときは、部分的な汚れが付着していると判定するようにした。或いは、運用開始前の前記フォトセンサの受光量を基準値とし、運用開始後の前記フォトセンサの受光量と前記基準値とを比較し、略全体が第２の閾値以上に受光量が低下しているときは、汚れが全面に付着していると判定するようにした。【選択図】図１
2011123301.tif 000002
【特許請求の範囲】
【請求項１】
フォトセンサを内蔵した液晶パネルからなる表示入力装置の汚れ検出方法であって、
所定のドット順の前記フォトセンサの受光量の変化量に基づき前記表示入力装置の汚れを検出するようにしたことを特徴とする表示入力装置の汚れ検出方法。
【請求項２】
前記所定のドット順は走査方向のドット順であり、前記変化量は微分量であり、当該微分量の絶対値が第１の閾値以上になったときに、汚れが付着していると判定するようにしたことを特徴とする請求項１記載の表示入力装置の汚れ検出方法。
【請求項３】
フォトセンサを内蔵した液晶パネルからなる表示入力装置の汚れ検出方法であって、
運用開始前の前記フォトセンサの受光量を基準値とし、運用開始後の前記フォトセンサの受光量と前記基準値とを比較し、略全体が第２の閾値以上に受光量が低下しているときは、汚れが全面に付着していると判定するようにしたことを特徴とする表示入力装置の汚れ検出方法。
【請求項４】
実施例１ないし実施例３いずれか記載の汚れ検出方法を用いて汚れを検出するようにしたことを特徴とする表示入力装置。
【請求項５】
請求項４記載の表示入力装置を備えたことを特徴とする自動取引装置。
【発明の詳細な説明】
【技術分野】
【０００１】
本発明は、現金自動預払機等の自動取引装置において顧客が操作する表示入力装置の汚れを検出する技術に関するものである。
【背景技術】
【０００２】
従来、自動取引装置などに用いられるタッチパネルと液晶パネルからなる表示入力装置におけるタッチパネルの汚れの検出は、タッチパネルの上部に画像を読み取るラインセンサを設け、当該ラインセンサの走査により液晶パネルに表示した画像を基準値として読み取って基準の画像情報とし、後に読み取った画像情報と前記基準の画像情報と比較することにより、タッチパネルの汚れを検出し、汚れが検出された場合、タッチパネルの表面を清掃する技術があった（例えば、特許文献１参照）。
【先行技術文献】
【特許文献】
【０００３】
【特許文献１】特開平１１−５３１１３号公報
【発明の概要】
【発明が解決しようとする課題】
【０００４】
しかしながら、上記従来の検出技術では、新たな構成としてスキャナやカメラなどを設ける必要があり、装置の低価格化を妨げる要因の１つとなっていた。
【課題を解決するための手段】
【０００５】
本発明は、前述の課題を解決するため次の構成を採用する。すなわち、フォトセンサを内蔵した液晶パネルからなる表示入力装置の汚れ検出方法であって、所定のドット順の前記フォトセンサの受光量の変化量に基づき前記表示入力装置の汚れを検出するようにした。
【発明の効果】
【０００６】
本発明の自動取引装置によれば、フォトセンサを内蔵した液晶パネルからなる表示入力装置の汚れ検出方法であって、所定のドット順の前記フォトセンサの受光量の変化量に基づき前記表示入力装置の汚れを検出するようにしたので、新たな高価な構成を付加することなく確実に汚れを検出することができる。
【図面の簡単な説明】
【０００７】
【図１】実施例１の自動取引装置の概観斜視図である。
【図２】実施例１の表示入力装置の構成図（斜視図）である。
【図３】実施例１の表示入力装置の構成図（断面図）である。
【図４】実施例１の自動取引装置の制御系ブロック図である。
【図５】実施例１の自動取引装置の表示入力装置の動作説明図である。
【図６】実施例１の自動取引装置の表示入力装置の動作説明図である。
【図７】実施例２の自動取引装置の表示入力装置の動作説明図である。
【発明を実施するための形態】
【０００８】
以下、本発明に係わる実施の形態例を、図面を用いて説明する。図面に共通する要素には同一の符号を付す。なお、以下の説明では、現金自動預払機を例として説明するが、切符、定期等の発券機などの自動券売機などの自動取引装置にも本発明を容易に適用することができる。
【実施例１】
【０００９】
（構成）
（自動取引装置の外観構成）
実施例１の自動取引装置１は、図１のような外観をしており、硬貨入出金口２、紙幣入出金口３、表示入力装置として機能しフォトセンサ内蔵液晶パネルからなる表示入力装置４、通帳挿入口５、カード挿入口６を備えている。
【００１０】
紙幣入出金口３は、紙幣が投入されるとともに、これらが排出される開口部である。紙幣入出金口３には、シャッタが設けられシャッタが駆動されることにより紙幣入出金口３が開閉される。
【００１１】
カード挿入口６は、カードを用いて取引を行う場合、当該カードがここから挿入され、取引が終了するとここから排出される。通帳挿入口５は、取引で使用される通帳がここから挿入され、取引が終了するとここから排出される。また、硬貨入出金口２は、硬貨が投入または排出される開口部である。
【００１２】
そして、紙幣入出金口３の奥部には、後述の紙幣の入出金処理を行う紙幣処理部２６が設けられており、カード挿入口６の奥部には、後述のカード処理部２１が設けられている。
【００１３】
硬貨入出金口２の奥部には、硬貨の入出金処理を行う後述の硬貨処理部２５が設けられており、通帳挿入出口５の奥部には、後述の通帳処理部２３が設けられている。
【００１４】
表示入力装置４は、後述記載の構成となっており、顧客の操作により各種の入力を行なうとともに、操作ガイダンス等が表示される。また、自動取引装置１の上部には、自動取引装置１の設置場所にあらかじめ設けられている蛍光灯などが光源１０として配置された構成となっている。
【００１５】
表示入力装置４は、図２の斜視図および図３の断面図に示したような構造となっており、通常の液晶パネル部分としての、バックライト１２０、バックライト１２０の上面および表面に設けられた偏向板１２１および１２５、各画素との電気的接続回路として機能するアレイ基板１２２、各画素のカラーフィルタとして機能するカラーフィルタ基板１２４とからなる。
【００１６】
そして、フォトセンサ内蔵型としての液晶・光センサ層１２３は、図２右側に示したように液晶の画素（赤）１０１ｒ、画素（緑）１０１ｇ、画素（青）１０１ｂに加えて、フォトセンサ素子１００ａがそれぞれの画素に設けられた構成となっており、表示機能とともにスキャナとしての機能をも有する構成となっている。
【００１７】
そして、これらの液晶画素およびフォトセンサ素子が、それぞれフォトセンサ駆動回路１００、液晶駆動回路１０１により駆動されて、液晶表示およびフォトセンサが動作するようになっている。
【００１８】
（自動取引装置の内部構成）
実施例１の自動取引装置の内部は、図４に示したように、後述する各部の制御を行う主制御部２０と、前述の表示入力装置として機能する表示入力装置４と、その上部に設けられた既設の光源１０と、キャッシュカード等に記録された情報のリードライトを行うカード処理部２１と、音声やブザーによりガイダンスを出力する音声案内部２２と、通帳の磁気ストライプのリードライトおよび通帳への印字制御を行う通帳処理部２３と、取引内容の明細票を印字して出力する明細票処理部２４と、図示しない硬貨入出金金庫や硬貨装填庫を備え硬貨の入出金制御を行う硬貨処理部２５と、図示しない紙幣入出金金庫や紙幣装填庫を備え紙幣の入出金制御を行う紙幣処理部２６と、からなる。
【００１９】
さらに、各部に電源を供給する電源部２７、主制御部の記憶部として機能し、プログラムや制御用パラメータや汚れ検出の閾値などを記憶するメモリ部２８と、図示しないホストコンピュータとのインタフェイスを制御するインタフェイス部２９を有する。
【００２０】
（動作）
以上の構成により実施例１の自動取引装置１は以下のように動作する。この動作を、図５および図６の表示入力装置の動作説明図を用いて詳細に説明する。
【００２１】
なお、実施例１の自動取引装置１の表示入力装置４は、図５に示したように、１０２４ドット×７６８ドットの画素を有する画面表示エリアを有する例として以下説明する。
【００２２】
実施例１の表示入力装置４は、図２を用いて説明したように、画素（１０１ｒ、１００ｇ、１００ｂ）ごとにフォトセンサ素子１００ａを有しており、蛍光灯の光源１０からの光により、ｎライン目のフォトセンサ素子の受光量は、図６上側の実線に示したようになる。
【００２３】
本例では、図５に示したようにｎライン目の中央部分に光源１０からの光を遮る汚れ３０がある例であり、この汚れ３０のために、ｎライン目の略中央部分のフォトセンサ素子による受光量は、図６の上側の実線のａ部のように低下する。
【００２４】
このときの変化量として、例えば、微分量を求めると図６の下側の実線のようになり、この微分量の絶対値がα以上となった場合、汚れありと判定する。そして、表示入力装置４の掃除が必要である旨を音声案内部２２によりガイダンス出力したり、表示入力装置４に表示したり、インタフェイス部２９によりホストコンピュータにその旨通知する。
【００２５】
なお、以上のように汚れ判定を微分量に基づいて行うのではなく、受光量を平滑化したものを基準値とし、平滑前の受光量が基準値より所定の閾値以上小さくなったときに汚れ有りと判定するようにしてもよい。
【００２６】
このとき、汚れの位置なども音声出力や表示したりするとなおよい。また、汚れ検出を正確にするためには、複数回のスキャンにより同様の位置にて受光量の低下が所定の割合以上検出された場合に汚れありとするようにするとよい。
【００２７】
（実施例１の効果）
以上詳細に述べたように実施例１の自動取引装置によれば、表示入力装置の操作により取引を行う自動取引装置において、当該表示入力装置をフォトセンサ内蔵液晶パネルにて成し、所定のドット順の前記フォトセンサの受光量の変化量に基づき前記表示入力装置の汚れを検出するようにしたので、新たな構成を付加することなく、部分的な汚れを確実に検出することができる。
【実施例２】
【００２８】
（構成）
実施例２の自動取引装置の外観構成、内部構成および表示入力装置の構成は、実施例１の構成と同様であるので、簡略化のためにその詳細な説明は省略する。
【００２９】
（動作）
上記構成により実施例２の自動取引装置１は以下のように動作する。この動作を図７の動作説明図を用いて詳細に説明する。
【００３０】
なお、実施例２の自動取引装置１の表示入力装置も図５に示したように、１０２４ドット×７６８ドットの画素を有する例として以下説明する。
【００３１】
実施例２の表示入力装置４は、実施例１と同様、画素（１０１ｒ、１００ｇ、１００ｂ）ごとにフォトセンサ素子１００ａを有しており、蛍光灯の光源１０からの光により、ｎライン目のフォトセンサ素子の受光量は、図７に示したようなグラフとなる。
【００３２】
そして、自動取引装置１の運用開始前、例えば、装置を設置した際のフォトセンサ素子１００ａによる受光量を基準とし、ｎライン目のフォトセンサ素子にて受光した基準光量が一点鎖線のようになり、運用開始後にｎライン目のフォトセンサ素子にて受光した光量が実線のようになる。
【００３３】
実施例２の自動取引装置１では、表示入力装置４の全体にたばこのヤニやほこりなどの汚れが付着し、全体の光がこの汚れにより遮られる例を示しており、この汚れのために、ｎライン目の中央部分のフォトセンサによる受光量は、図７の実線のように、基準値よりβ以上に低下する。この光量の低下を検出し基準値から所定の光量β以下となった場合、汚れがあり清掃を要すると判定する。
【００３４】
このとき、全面に汚れが付着している旨も音声出力や表示したりするとなおよい。また、汚れ検出を正確にするためには、複数回のスキャンにより同様に受光量の低下が所定の割合以上で検出された場合に汚れありとするようにするとよい。
【００３５】
（実施例２の効果）
以上詳細に述べたように実施例２の自動取引装置によれば、表示入力装置の操作により取引を行う自動取引装置において、当該表示入力装置をフォトセンサ内蔵液晶パネルにて成し、運用開始前に各ドットの光量を測定し基準値とし、運用開始後に測定した光量と前記基準値とを比較し、所定の光量分以上受光量が低下していたときは、汚れありと判定できるようにしたので、新たな構成を付加することなく、全体に汚れが付着したことを確実に検出することができる。
【００３６】
《その他の変形例》
以上の実施例の説明では、横方向のドット順に光量を測定し比較するように説明したが、縦方向や斜め方向のドット順に光量を測定し比較するようにしてもよい。
【００３７】
また、以上の実施例の説明では、汚れを検出したときの清掃については説明しなかったが、表示入力装置の表面を清掃する機構を設け、自動で清掃するようにするとなおよい。この場合、清掃により汚れが除去されたかどうかを、清掃後に以上説明した汚れ検出動作により確認し、除去された場合は、清掃後の受光量を基準として置き換えるようにするとよい。一方、汚れが除去されないときは、音声案内部２２による音声出力や表示入力装置４にその旨を表示し、係員による清掃を促すようにするとよい。
【産業上の利用可能性】
【００３８】
以上述べたように、本発明は、顧客が操作する表示入力装置を有する現金自動預払機等の自動取引装置に広く利用することができる。
【符号の説明】
【００３９】
１    自動取引装置
４    表示入力装置
１０  光源
２０  主制御部
２８  記憶部
２９  インタフェイス部
３０  汚れ
１００ａ  フォトセンサ素子
１０１ｒ、１０１ｇ、１０１ｂ  液晶画素
【図１】
2011123301.tif 000003
【図２】
2011123301.tif 000004
【図３】
2011123301.tif 000005
【図４】
2011123301.tif 000006
【図５】
2011123301.tif 000007
【図６】
2011123301.tif 000008
【図７】
2011123301.tif 000009